(57)【要約】      （修正有）【課題】指針式時計では、見た瞬間直感的に時刻を判断できることが求められるが、指針の動きが遅かったり、時字が馴染みの浅い例えばローマ数字であったり、線や点などの目盛りのみであると、本当に右回りに動いているのかの不安を解消する時計を提供する。【解決手段】指示部１及び残像部２を備える指示片５を有し、指示部１は指示片５の移動方向の前方に配置され、残像部２は指示部１よりも前記移動方向の後方に配置され、残像部２は指示部１の過去の一瞬又は一定期間の軌跡と大半を同じとする。【選択図】図１
2020201131.tif 000002
【特許請求の範囲】
【請求項１】
時間の経過に合わせて移動制御され、指示部及び残像部を備える指示片を有し、
前記指示部は前記指示片の移動方向の前方に配置され、
前記残像部は前記指示部よりも前記移動方向の後方に配置され、
前記残像部は前記指示部の過去の一瞬又は一定期間の軌跡と大半を同じとする、
時計。
【請求項２】
前記指示片は平面的に移動制御されて、時計の裏表どちらからでも前記指示部及び前記残像部を視認可能である、
請求項１に記載の時計。
【請求項３】
前記残像部と前記指示部は可視光の透過率、反射率又は輝度の少なくともいずれかが異なる特徴を有する、
請求項１から請求項２のいずれかに記載の時計。
【発明の詳細な説明】
【技術分野】
【０００１】
本発明は、時計に関する。
【背景技術】
【０００２】
時計においては、特許文献１の実施例のように、円形文字板外周部に１から３１までの数字による日付情報が右回りに順に表示され、円形文字板の中心で支持され回転駆動される指針に指示されるようなアイデアが知られている。
また、多くの一般的な時計には円形文字板の中心で支持され右回りに回転駆動される時針、分針が備えられており、更に秒針も備えるものや、時針しかないものも知られている。
【０００３】
また、時計においては、特許文献２の実施例のように、内部に発光素子や導光体を備え、指針を回転駆動するムーブメントのアイデアが知られている。
【先行技術文献】
【特許文献】
【０００４】
【特許文献１】特開２０１８−１０９６５１号公報
【特許文献２】特開２０１８−０７７１８２号公報
【発明の概要】
【発明が解決しようとする課題】
【０００５】
指針が移動制御されて指し示す位置から現在の時刻を知る時計では、見た瞬間直感的に時刻を判断できることが求められるが、指針の動きが遅かったり、時字が馴染みの浅い例えばローマ数字であったり、線や点などの目盛りのみであると、本当に右回りに動いているのかと不安になってしまう。
【０００６】
また、裏表どちらから見ても時刻を知ることが可能な従来の両面時計では、平面放射状に時字が配置される円形文字板上を指針がムーブメントによって駆動され回転制御される時計を２個背中合わせにしたような構造になっているが、このような構造では移動制御を担うムーブメントが２個必要なので、時刻合わせや電池交換の手間、コストも２倍になってしまい、且つ２個のムーブメントの相対誤差に起因して裏から見た時刻と表から見た時刻に違いが出てしまう。また高い所に設置される為に比較的文字板が大きくなる両面時計では、例えば壁面に設置した場合に光を遮って部屋が鬱陶しくなりがちである。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係る時計は、例えば図１から４のように、
時間の経過に合わせて移動制御され、指示部１及び残像部２を備える指示片５を有し、
指示部１は指示片５の移動方向の前方に配置され、
残像部２は指示部１よりも前記移動方向の後方に配置され、
残像部２は指示部１の過去の一瞬又は一定期間の軌跡と大半を同じとする、
時計である。
【０００９】
発明２に係る時計は、発明１の時計において、
指示片５は平面的に移動制御されて、例えば図１左図を時計の表側から見た図、図２を裏側から見た図とすると、裏表どちらからでも指示部１及び残像部２を視認可能である、
時計である。
【００１０】
発明３に係る時計は、発明１から発明２のいずれかの時計において、
残像部２と指示部１は可視光の透過率、反射率又は輝度の少なくともいずれかが異なる特徴を有する、
時計である。
【発明の効果】
【００１１】
以上のように本発明では、日常的に感じる残像の視覚体験から、本来像が残らないような移動速度の指示部１の後方に残像部２を設けてやることで、指示片５を見れば直感的に移動方向が判るような時計の設計が容易となる。
【００１２】
また発明２では、本発明の効果に加えて、裏表どちらから見ても時刻を知ることが可能な両面時計として、指示片５を移動制御する駆動装置が１個で済むので、時刻合わせや電池交換の手間がかからず、コストも低く、且つ裏から見た時刻と表から見た時刻に違いが出ず、且つ文字板の面積が小さく例えば壁面に設置した場合に光をよく通して部屋が晴れやかになるような時計の設計が容易となる。
【００１３】
また発明３では、本発明の効果に加えて、日常的に感じる残像の視覚体験により近いと感じられる指示片５となるような設計が容易となる。
【図面の簡単な説明】
【００１４】
【図１】第１実施形態の第三角法による正面図と右側面図
【図２】第１実施形態の背面図
【図３】第１実施形態の置時計状態での正面図と底面図
【図４】第１実施形態の指示片５の別案
【発明を実施するための形態】
【００１５】
本発明の第１実施形態を図１から４に基づいて説明する。
【００１６】
短い円筒状の駆動部１２には乾電池を電源とするムーブメントを備えており、駆動部１２一端の外周１６に接着嵌合される穴が中央に開いた薄板円盤状の裏板８は透明プラスチック製で外周付近には９０度ピッチで４か所テーパー穴が開いて、皿小ねじ１８が嵌まるようになっており、また表板７は裏板８の中央の穴が無いものである。また両端開口端の短い円筒状の胴９の内周には３０度ピッチで１２個突起が時字として一体に設けられており、その内で９０度ピッチで４個の突起は他よりも大きくて円筒状の胴９の長さ方向に貫通するネジ穴が設けられており、裏板８に嵌まった皿小ねじ１８を４個のネジ穴に螺合させることで胴９の一端に裏板８を固定可能であり、表板７も同様に皿小ねじ１５で胴９の他端に固定可能である。また、図１の胴９の３時の位置には平面と貫通穴１０を有する取付部１１が設けられており、皿小ねじ１８を全て外して裏板８を外し、貫通穴１０に胴９の内周側から木ネジ１７を通して家の壁面などに胴９を固定し、再び皿小ねじ１８で裏板８を固定することで、壁面への両面時計としての取り付けが完了する。また、取付部１１を天井に取り付けたい場合は裏板８を外して図１左図の状態から胴９を左回りに９０度回転させ木ネジ１７で天井に固定すれば良いし、机の天板に取り付けたい場合は胴９を右回りに９０度回転させれば良い。また置時計としたい場合は図３のように取付部１１の貫通穴１０に板状のベース１９の突起を摺動嵌合させベース１９を天板に置けば良い。
また、指示片５は全体として中心角１８度の扇状であり、ムーブメントの中心の分針駆動軸１３に固定され図１左図では右回りに１時間で一周するように等速回転制御されており、指示片６は分針駆動軸１３と同心の時針駆動軸に固定され右回りに１２時間で一周するように等速回転制御されている。また、指示片５の移動方向の前方には帯状の指示部１、その後方には１分前の指示部１の輪郭とほぼ同じ帯状の残像部２、その後方には２分前の指示部１の輪郭とほぼ同じ帯状の残像部３、その後方には３分前の表示部１の輪郭とほぼ同じ帯状の残像部４が配置され、指示片５として一体化されている。例えば指示部１が黒色に塗装されいる場合、残像部２、３、４はそれぞれダークグレー、グレー、ライトグレーというように可視光の反射率が順に高くなるよう配置される。また例えば指示片５が透明プラスチック素材で指示部１が黒く染色されている場合、指示部１、残像部２、３、４の順に染色時間を短くすることで可視光の透過率が順に高くなるよう配置される。また図４の指示片５は、帯状の指示部１の後方に３分前までの軌跡とほぼ同じ残像部２が一体に設けられており、可視光を透過する複数の穴の大きさを後方にいくにしたがって大きくすることで透過率を徐々に高めている。また、駆動部１２の中心に発光素子を配置して扇状の指示片５に光を導き、指示部１では光の拡散量を増やして輝度を高め、後方の残像部２では徐々に拡散量を減らして輝度を低くしていくような導光板構造としても良いだろう。
また、図１左図の時計表側、図２の時計裏側どちら側からでも指示部１及び残像部２を視認可能であり、置時計にした図３も含めてすべて３時０分を指示していると直感的に判るだろう。また図４の場合は１時０分を指示している。
また、現状では高コストとなるが、ムーブメントの代わりにディスプレイ駆動回路を駆動部１２に内蔵し、裏板８のような形状の階調表示方式の透過型ディスプレイを裏板８の代わりに皿小ねじ１８で固定し、図１のような指示片５の指示部１と残像部２の透過率を変えて表示し時間の経過に合わせて移動制御しても両面時計として良いし、ドットマトリクス方式の透過型ディスプレイで図４のような指示片５を表示して複数の穴の部分を透過ドットとし、時間の経過に合わせて移動制御しても両面時計として良いだろう。
【符号の説明】
【００１７】
１,１４.                             指示部
２,３,４.                            残像部
５,６.                                 指示片
７.                                      表板
８.                                      裏板
９.                                      胴
１０.                                  貫通穴
１１.                                  取付部
１２.                                  駆動部
１３.                                  分針駆動軸
１５,１８.                         皿小ねじ
１６.                                  外周
１７.                                  木ネジ
１９.                                  ベース
【図１】
2020201131.tif 000003
【図２】
2020201131.tif 000004
【図３】
2020201131.tif 000005
【図４】
2020201131.tif 000006
【手続補正書】
【提出日】令和2年9月21日(2020.9.21)
【手続補正１】
【補正対象書類名】特許請求の範囲
【補正対象項目名】全文
【補正方法】変更
【補正の内容】
【特許請求の範囲】
【請求項１】
時間の経過に合わせて移動制御され、指示部及び残像部を備える指示片を有し、
前記指示部は前記指示片の移動方向の前方に配置され、
前記残像部は前記指示部よりも前記移動方向の後方に配置され、
前記指示片は平面的に移動制御されて、時計の裏表どちらからでも前記指示部及び前記残像部を視認可能であり、
前記指示片は分針又は時針の少なくともいずれかとして移動制御される、
時計。
【請求項２】
時間の経過に合わせて移動制御され、指示部及び残像部を備える指示片を有し、
前記指示部は前記指示片の移動方向の前方に配置され、
前記残像部は前記指示部よりも前記移動方向の後方に配置され、
前記指示片は平面的に移動制御されて、時計の裏表どちらからでも前記指示部及び前記残像部を視認可能であり、
時字として数字を用いないことを特徴とする、
時計。
【請求項３】
時間の経過に合わせて移動制御され、指示部及び残像部を備える指示片を有し、
前記指示部は前記指示片の移動方向の前方に配置され、
前記残像部は前記指示部よりも前記移動方向の後方に配置され、
前記指示片は平面的に移動制御されて、時計の裏表どちらからでも前記指示部及び前記残像部を視認可能であり、
前記指示片は分針又は時針の少なくともいずれかとして移動制御され、
時字として数字を用いないことを特徴とする、
時計。
【手続補正２】
【補正対象書類名】明細書
【補正対象項目名】全文
【補正方法】変更
【補正の内容】
【発明の詳細な説明】
【技術分野】
【０００１】
本発明は、時計に関する。
【背景技術】
【０００２】
時計においては、特許文献１の実施例のように、円形文字板外周部に１から３１までの数字による日付情報が右回りに順に表示され、円形文字板の中心で支持され回転駆動される指針に指示されるようなアイデアが知られている。
また、多くの一般的な時計には円形文字板の中心で支持され右回りに回転駆動される時針、分針が備えられており、更に秒針も備えるものや、時針しかないものも知られている。
【０００３】
また、時計においては、特許文献２の実施例のように、内部に発光素子や導光体を備え、指針を回転駆動するムーブメントのアイデアが知られている。
【先行技術文献】
【特許文献】
【０００４】
【特許文献１】特開２０１８−１０９６５１号公報
【特許文献２】特開２０１８−０７７１８２号公報
【発明の概要】
【発明が解決しようとする課題】
【０００５】
指針が移動制御されて指し示す位置から現在の時刻を知る時計では、見た瞬間直感的に時刻を判断できることが求められるが、指針の動きが遅かったり、時字が馴染みの浅い例えばローマ数字であったり、線や点などの目盛りのみであると、本当に右回りに動いているのかと不安になってしまう。
【０００６】
また、裏表どちらから見ても時刻を知ることが可能な従来の両面時計では、平面放射状に時字が配置される円形文字板上を指針がムーブメントによって駆動され回転制御される時計を２個背中合わせにしたような構造になっているが、このような構造では移動制御を担うムーブメントが２個必要なので、時刻合わせや電池交換の手間、コストも２倍になってしまい、且つ２個のムーブメントの相対誤差に起因して裏から見た時刻と表から見た時刻に違いが出てしまう。また高い所に設置される為に比較的文字板が大きくなる両面時計では、例えば壁面に設置した場合に光を遮って部屋が鬱陶しくなりがちである。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係る時計は、例えば図１から４のように、
時間の経過に合わせて移動制御され、指示部１及び残像部２を備える指示片５を有し、
指示部１は指示片５の移動方向の前方に配置され、
残像部２は指示部１よりも前記移動方向の後方に配置され、
指示片５は平面的に移動制御されて、例えば図１左図を時計の表側から見た図、図２を裏側から見た図とすると、裏表どちらからでも指示部１及び残像部２を視認可能であり、
指示片５は分針又は時針の少なくともいずれかとして移動制御される、
時計である。
【０００９】
発明２に係る時計は、例えば図１から４のように、
時間の経過に合わせて移動制御され、指示部１及び残像部２を備える指示片５を有し、
指示部１は指示片５の移動方向の前方に配置され、
残像部２は指示部１よりも前記移動方向の後方に配置され、
指示片５は平面的に移動制御されて、例えば図１左図を時計の表側から見た図、図２を裏側から見た図とすると、裏表どちらからでも指示部１及び残像部２を視認可能であり、
時字として数字を用いないことを特徴とする、
時計である。
【００１０】
発明３に係る時計は、例えば図１から４のように、
時間の経過に合わせて移動制御され、指示部１及び残像部２を備える指示片５を有し、
指示部１は指示片５の移動方向の前方に配置され、
残像部２は指示部１よりも前記移動方向の後方に配置され、
指示片５は平面的に移動制御されて、例えば図１左図を時計の表側から見た図、図２を裏側から見た図とすると、裏表どちらからでも指示部１及び残像部２を視認可能であり、
指示片５は分針又は時針の少なくともいずれかとして移動制御され、
時字として数字を用いないことを特徴とする、
時計である。
【発明の効果】
【００１１】
以上のように本発明では、日常的に感じる残像の視覚体験から、本来像が残らないような移動速度の指示部１の後方に残像部２を設けてやることで、指示片５を見れば直感的に移動方向が判るような時計の設計が容易となる。
【００１２】
また、裏表どちらから見ても時刻を知ることが可能な両面時計として、指示片５を移動制御する駆動装置が１個で済むので、時刻合わせや電池交換の手間がかからず、コストも低く、且つ裏から見た時刻と表から見た時刻に違いが出ず、且つ文字板の面積が小さく例えば壁面に設置した場合に光をよく通して部屋が晴れやかになるような時計の設計が容易となる。
【図面の簡単な説明】
【００１３】
【図１】第１実施形態の第三角法による正面図と右側面図
【図２】第１実施形態の背面図
【図３】第１実施形態の置時計状態での正面図と底面図
【図４】第１実施形態の指示片５の別案
【発明を実施するための形態】
【００１４】
本発明の第１実施形態を図１から４に基づいて説明する。
【００１５】
短い円筒状の駆動部１２には乾電池を電源とするムーブメントを備えており、駆動部１２一端の外周１６に接着嵌合される穴が中央に開いた薄板円盤状の裏板８は透明プラスチック製で外周付近には９０度ピッチで４か所テーパー穴が開いて、皿小ねじ１８が嵌まるようになっており、また表板７は裏板８の中央の穴が無いものである。また両端開口端の短い円筒状の胴９の内周には３０度ピッチで１２個突起が時字として一体に設けられており、その内で９０度ピッチで４個の突起は他よりも大きくて円筒状の胴９の長さ方向に貫通するネジ穴が設けられており、裏板８に嵌まった皿小ねじ１８を４個のネジ穴に螺合させることで胴９の一端に裏板８を固定可能であり、表板７も同様に皿小ねじ１５で胴９の他端に固定可能である。また、図１の胴９の３時の位置には平面と貫通穴１０を有する取付部１１が設けられており、皿小ねじ１８を全て外して裏板８を外し、貫通穴１０に胴９の内周側から木ネジ１７を通して家の壁面などに胴９を固定し、再び皿小ねじ１８で裏板８を固定することで、壁面への両面時計としての取り付けが完了する。また、取付部１１を天井に取り付けたい場合は裏板８を外して図１左図の状態から胴９を左回りに９０度回転させ木ネジ１７で天井に固定すれば良いし、机の天板に取り付けたい場合は胴９を右回りに９０度回転させれば良い。また置時計としたい場合は図３のように取付部１１の貫通穴１０に板状のベース１９の突起を摺動嵌合させベース１９を天板に置けば良い。
また、指示片５は全体として中心角１８度の扇状であり、ムーブメントの中心の分針駆動軸１３に固定され図１左図では右回りに１時間で一周するように等速回転制御されており、指示片６は分針駆動軸１３と同心の時針駆動軸に固定され右回りに１２時間で一周するように等速回転制御されている。また、指示片５の移動方向の前方には帯状の指示部１、その後方には１分前の指示部１の輪郭とほぼ同じ帯状の残像部２、その後方には２分前の指示部１の輪郭とほぼ同じ帯状の残像部３、その後方には３分前の表示部１の輪郭とほぼ同じ帯状の残像部４が配置され、指示片５として一体化されている。例えば指示部１が黒色に塗装されいる場合、残像部２、３、４はそれぞれダークグレー、グレー、ライトグレーというように可視光の反射率が順に高くなるよう配置される。また例えば指示片５が透明プラスチック素材で指示部１が黒く染色されている場合、指示部１、残像部２、３、４の順に染色時間を短くすることで可視光の透過率が順に高くなるよう配置される。また図４の指示片５は、帯状の指示部１の後方に３分前までの軌跡とほぼ同じ残像部２が一体に設けられており、可視光を透過する複数の穴の大きさを後方にいくにしたがって大きくすることで透過率を徐々に高めている。また、駆動部１２の中心に発光素子を配置して扇状の指示片５に光を導き、指示部１では光の拡散量を増やして輝度を高め、後方の残像部２では徐々に拡散量を減らして輝度を低くしていくような導光板構造としても良いだろう。
また、図１左図の時計表側、図２の時計裏側どちら側からでも指示部１及び残像部２を視認可能であり、置時計にした図３も含めてすべて３時０分を指示していると直感的に判るだろう。また図４の場合は１時０分を指示している。
また、現状では高コストとなるが、ムーブメントの代わりにディスプレイ駆動回路を駆動部１２に内蔵し、裏板８のような形状の階調表示方式の透過型ディスプレイを裏板８の代わりに皿小ねじ１８で固定し、図１のような指示片５の指示部１と残像部２の透過率を変えて表示し時間の経過に合わせて移動制御しても両面時計として良いし、ドットマトリクス方式の透過型ディスプレイで図４のような指示片５を表示して複数の穴の部分を透過ドットとし、時間の経過に合わせて移動制御しても両面時計として良いだろう。
【符号の説明】
【００１６】
１,１４.                             指示部
２,３,４.                            残像部
５,６.                                 指示片
７.                                      表板
８.                                     裏板
９.                                     胴
１０.                                 貫通穴
１１.                                 取付部
１２.                                 駆動部
１３.                                 分針駆動軸
１５,１８.                         皿小ねじ
１６.                                 外周
１７.                                  木ネジ
１９.                                 ベース